(57)【要約】【課題】  荷物の載置の有無に係わらずシートクッション下のスペースを占有することなく、荷物載置時に荷物の脱落を確実に防止でき、荷物非載置時にシートクッションのクッション性能に影響を与えることのない車両用シートを提供する。【解決手段】  乗員が着座するシートクッション４の周囲に設けられ、該シートクッション４の後部にその端部が回動可能に取り付けられる枠部材２０と、該枠部材２０と前記シートクッション４との間に設けられる布状体２３とを備えたことを特徴とする。【選択図】        図１
2006175040.tif 000002
【特許請求の範囲】
【請求項１】
乗員が着座するシートクッションの周囲に設けられ、該シートクッションの後部にその端部が可動可能に支持されると共にシートクッションに対して上下方向に変位可能に設けられた枠部材と、該枠部材と前記シートクッションとの間に設けられる布状体とを備えたことを特徴とする車両用シート。
【請求項２】
前記シートクッションの後部あるいはシートバックにその一端が固定されたカバー体を有することを特徴とする請求項１に記載の車両用シート。
【発明の詳細な説明】
【技術分野】
【０００１】
この発明は、荷物固定装置を備えた車両用シートに関する。
【背景技術】
【０００２】
車両用シートの中には、シートクッションに荷物を固定できるようにしたものがある。例えば、シートクッションを開閉可能（跳ね上げ可能）に構成して、内部に収納部を形成し、シートクッションを開いた状態で収納部に収納された荷物をシートベルトにより抑えるようにしたもの（特許文献１参照）、跳ね上げ可能なシートクッション下に折り畳み可能な収納具を設けたもの（特許文献２参照）、ドアと左右のシート間に配置された帯状体との間で、シートクッション上に載置された荷物を押え付けて固定するもの（特許文献３参照）がある。
【特許文献１】特開２００２−３３６０８１号公報
【特許文献２】特開２００４−１２２８６７号公報
【特許文献３】特開平０８−３４２７５号公報
【発明の開示】
【発明が解決しようとする課題】
【０００３】
しかしながら、特許文献１の構造にあっては跳ね上げられるシートクッションの下に収納スペースを必要とするため、この収納スペースを大きく確保しようとすると通常のシートであるならば使用できるはずのシートクッション下のスペースが使用できない。そのため、オーディオ機器などを配置したり、後席乗員のフットスペースが確保できなくなるとう問題がある。また引用文献２のように、シートクッション下に折り畳み可能な収納具を設けたものでは、荷物を載置しない時にシートクッション下に格納された収納具がシートクッションのクッション性能を悪化させてしまうという問題がある。
そして、特許文献３の構造にあっては、アームレスト内部から巻き出された帯状体により荷物を固定する構造のため、装置が大がかりなものになると共に荷物がずれた場合にはシートクッション上から脱落する虞があるという問題がある。
【０００４】
そこで、この発明は、荷物の載置の有無に係わらずシートクッション下のスペースを占有することなく、荷物載置時に荷物の脱落を確実に防止でき、荷物非載置時にシートクッションのクッション性能に影響を与えることのない車両用シートを提供することを目的とする。
【課題を解決するための手段】
【０００５】
上記目的を達成するために、請求項１に記載した発明は、乗員が着座するシートクッション（例えば、実施形態におけるシートクッション４）の周囲に設けられ、該シートクッションの後部にその端部（例えば、実施形態における軸部２１）が可動可能に支持されると共にシートクッションに対して上下方向に変位可能に設けられた枠部材（例えば、実施形態における枠部材２０）と、該枠部材と前記シートクッションとの間に設けられる布状体（例えば、実施形態における布状体２３）とを備えたことを特徴とする。
このように構成することで、荷物を載置しない場合には枠部材を下方に変位させシートクッションの周囲にこれを布状体ごと格納して格納状態とし、荷物を載置する場合に枠部材をシートクッションの周囲から上方へ変位させて使用状態とし、シートクッション上の布状体で囲まれた部位に荷物載置スペースを確保することができる。
【０００６】
請求項２に記載した発明は、前記シートクッションの後部あるいはシートバックにその一端が固定されたカバー体（例えば、実施形態におけるカバー体１５）を有することを特徴とする。
このように構成することで、使用状態では布状体に取り囲まれるようにして載置された荷物をカバー体により上方から確実に抑えることができると共に外側から目に付き難くすることが可能となる。
【発明の効果】
【０００７】
請求項１に記載した発明によれば、荷物を載置しない場合には枠部材を下方に変位させシートクッションの周囲にこれを布状体ごと格納して格納状態とできるため、シートクッションに乗員が着座する際にシートクッションのクッション性能に何ら影響を与えることはない。
また、荷物を載置する場合には枠部材をシートクッションの周囲から上方へ変位させて使用状態とし、シートクッション上の布状体で囲まれた部位に荷物載置スペースを確保することができるため、枠部材と布状体とで荷物を周囲から囲むようにして保持し、荷物の脱落を確実に防止して載置することができる。
そして、前記枠部材は格納状態、使用状態の何れであってもシートバック下のスペースを占有しない点で有利である。
【０００８】
請求項２に記載された発明によれば、使用状態では布状体に取り囲まれるようにして載置された荷物をカバー体により上方から確実に抑えることができるため、荷物の脱落を確実に防止できる効果があると共に外側から目に付き難くする目隠し効果を出せる。
【発明を実施するための最良の形態】
【０００９】
次に、この発明の実施形態を図面に基づいて説明する。
図１、図２、図４に示すように、フロアパネル１には図示しないシートレールが取り付けられ、このシートレールに車両用シートとしてのフロントシート２がシートフレーム３を介して前後方向に位置調整可能に支持されている。
フロントシート２は乗員が着座するシートクッション４とシートバック５とを備えており、前記シートクッション４はシートフレーム３の上部に取り付けられている。シートフレーム３はシートクッション４を支持するフレーム本体６と、このフレーム本体６の下部に脚部７を備えたもので、この脚部７が前述したシートレールに前後方向位置調整可能に支持されている。したがって、シートクッション４下、つまりシートフレーム３のフレーム本体６とフロアパネル１との間には空間部分１０が確保されている。
【００１０】
フレーム本体６の後部両側にはブラケット１１が各々取り付けられている。これら両ブラケット１１，１１には、シートバック５がその両側部を回動可能に支持された状態で取り付けられ、シートバック５をシートフレーム３、つまりシートクッション４に対してリクライニング可能に支持している。
シートバック５の後面には、車室外側よりに下部側から上方に向かって延びるヘッドレスト支持アーム１２が取り付けられ、このヘッドレスト支持アーム１２の上部にヘッドレスト１３が取り付けられている。ここで、前記ヘッドレスト支持アーム１２とシートバック５の上部後面との間には後述するカバー体１５の折り返し端１６を挿入するクリアランス部１４が設定されている。
【００１１】
前記シートクッション４の後部（後方）に位置するシートフレーム３のフレーム本体６の後部には、シートクッション４の後端部を受容する立ち上げ部１７が形成され、この立ち上げ部１７の前面には支持ブラケット１８を介して、枠部材２０の軸部（端部）２１が車幅方向を中心として回動可能（可動可能）に取り付けられている。ここで、この軸部２１は支持ブラケット１８に対して任意の位置で回動停止できるように支持されている。
図３に示すように、枠部材２０は金属あるいは樹脂からなる線状の部材が曲折されたもので、シートクッション４の前壁４ｆ、両側壁４ｓの外側を取り囲むように枠状に形成された枠本体２２と、この枠本体２２の後端に内側に向かって屈曲形成された軸部２１とで構成されている。
枠本体２２は軸部２１から前方向に延びる部位で上側に凸となるように湾曲形成されており、後述する使用状態で前記シートクッション４の上面から一定の高さが確保されるようになっている。ここで、この一定の高さは、例えば買物袋をシートバック５に載置した場合に、これが横にずれても外側へ飛び出さない程度の高さ寸法に設定されている。
【００１２】
そして、前記枠本体２２の前半部とシートクッション４の前壁４ｆ及び側壁４ｓとの間には、布状体２３が取り付けられている。具体的には枠本体２２の側辺２６の前半部分と前辺２７とに布状体２３の上縁２４が縫製され、この布状体２３の下縁２５はシートクッション４の前壁４ｆ及び側壁４ｓの上下方向略中央部に縫製されている。したがって、前記枠部材２０及び布状体２３は図１に示す使用状態（荷物載置状態）と図２に示す格納状態（荷物非載置状態）とに姿勢変化するようになっている。尚、主として前記枠部材２０と布状体２３とで荷物固定装置を構成している。
また、図４にも示すように前記シートバック５の上部後面には、シートクッション４及びシートバック５の幅寸法相当の幅を有する布製のカバー体１５の一端がホックなどにより着脱可能に固定され、このカバー体１５の他端が使用状態にある枠部材２０及び布状体２３の上を覆うことができるようになっている。尚、カバー体１５を使用しない場合には、カバー体１５の他端側である折り返し端１６をまくり上げ、前記ヘッドレスト支持アーム１２とシートバック５の上部後面との間に形成されたクリアランス部１４に挿入するようになっている。ここで、前記カバー体１５の他端の裏側とシートクッションの前端部に固定手段として面接着テープを貼付して、カバー体１５の使用時にその他端をシートクッション４に確実に固定するようにしてもよく、また、前記カバー体１５の他端の面接着テープを有効利用してあるいは別途設けて、カバー体１５の非使用時に折り返されクリアランス部１４に挿入されるカバー体１５の他端をシートバック５の後面等に確実に固定してもよい。これにより、一層確実に荷物を保持できる。
【００１３】
上記実施形態によれば、図２に示すように荷物Ｌ（図４にのみ示す）を載置しない場合には、前記枠部材２０を押し下げてその軸部２１を中心に下側に回動させれば、枠部材２０を布状体２３ごとワンタッチで簡単にシートクッション４の外側に格納される格納状態とできる。この格納状態では前記枠部材２０の枠本体２２はシートクッション４の前壁４ｆ及び側壁４ｓに沿ってその下部に格納されるため着座する乗員の着座の際の邪魔になることはなく、また、格納状態の枠部材２０がシートクッション４のクッションストロークを遮る位置にないため、フロントシート２のクッション性能に悪影響を与えることはない。更に、前記格納状態にある枠部材２０はシートクッション４の外側に位置していることから、シートフレーム３の外側に位置していることとなる。その結果、シートクッション４下であるシートフレーム３下の空間部分１０はそのまま確保されるため、この部位にオーディオ機器を配置したり、後席乗員のフットスペースを確保できる。
ここで、この場合カバー体１５はシートバック５側に折り返されているが、このカバー体１５はシートバック５のカバーとして機能するため違和感がなく、取り外せば簡単に洗うことができる。
【００１４】
次に、図１に示すように荷物Ｌを載置する場合には、前記枠部材２０を引き上げてその軸部２１を中心に上側に回動させれば、枠部材２０を布状体２３ごとワンタッチで簡単にシートクッション４の上側に立ち上がる使用状態とすることができる。この使用状態では前記布状体２３が枠部材２０上側への回動動作により緊張した状態となりシートクッション４の周囲に布状体２３による壁を備えた枠本体２２が形成されることとなり、この枠本体２２で囲まれる部位が荷物載置スペースとなる。その結果、シートバック５の上に載置された荷物Ｌは枠部材２０と布状体２３とで周囲から囲まれるようにして保持されるため、この荷物Ｌは脱落することなく確実に載置される。勿論、このような使用状態であっても、シートクッション４下であるシートフレーム３の下側の空間部分１０は何ら影響を受けないためこの空間部分１０は制約なく利用できる点で有利である。
【００１５】
そして、図４に示すようにシートクッション４に荷物Ｌを載置した使用状態で、カバー体１５の他端で枠部材２０及び布状体２３の上を覆うようにすることにより、外側から荷物Ｌが見えず、かつ荷物Ｌを上から確実に抑えることにより荷物Ｌの倒れを防止して、荷物Ｌがシートクッション４から脱落するのを防止できる。尚、この場合にカバー体１５を使用しないときには前記シートバック５の後面のクリアランス部１４に折り返し端１６を差し込んであるため、外観品質を損ねたり、着座感に影響を与えることはない。
また、上記枠部材２０、布状体２３及びカバー体１５は簡単に取り付けられ、後付けも容易であるため、取り扱いがし易いメリットもある。
【００１６】
尚、この発明は上記実施形態に限られるものではなく、例えば、布状体２３を枠部材２０の軸部２１側寄りまで延長することも可能である。また、枠部材２０はシートフレーム３に支持されている場合について説明したが、シートクッション４の後部に支持される構成を採用しても良い。そしてフロントシートを例にして説明したが、それ以外のシートにも適用できる。そして、前述した実施形態では枠部材２０の後端部をシートクッション４の後部に回動可能に支持した場合について説明したが、枠部材２０の後端をシートクッション４の後部に上下方向にスライド可能に支持してもよい。このように構成した場合でも枠部材２０を上下方向に変位可能とできる。
【図面の簡単な説明】
【００１７】
【図１】この発明の実施形態の使用状態を示す斜視図である。
【図２】この発明の実施形態の格納状態を示す斜視図である。
【図３】この発明の実施形態の枠部材の斜視図である。
【図４】この発明の実施形態の使用状態で荷物を載置した様子を示す側面図である。
【符号の説明】
【００１８】
４  シートクッション
１５  カバー体
２０  枠状体
２１  軸部（端部）
２３  布状体
【図１】
2006175040.tif 000003
【図２】
2006175040.tif 000004
【図３】
2006175040.tif 000005
【図４】
2006175040.tif 000006